(57)【要約】【課題】一体打ち抜き曲げ加工にて形成されたシールドケースで接続器体をカバーした構造を有するシールドコネクタにおいて、上記シールドケースの折れ曲がりの問題を有効に解消するシールドコネクタを提供する。【解決手段】一端に第１接続器体１を包囲する第１シールドケース２を、他端に第２接続器体３を包囲する第２シールドケース４を備え、該第１，第２シールドケース２，４の底板２ｃ，４ｄの内端相互を連結片５で連結し、第１，第２シールドケース２，４と連結片５を導電金属板の一体打ち抜き曲げ加工にて形成したシールドコネクタにおいて、上記第１シールドケース２の底板２ｃと対向する天板２ａの内端から上記連結片５と対向して補強片１６を突設し、該補強片１６を上記第２接続器体３に係止して上記第１，第２シールドケース２，４の連結片５における上方変形を抑止する。【選択図】        図２
2006185847.tif 000002
【特許請求の範囲】
【請求項１】
一端に第１接続器体を包囲する第１シールドケースを、他端に第２接続器体を包囲する第２シールドケースを備え、該第１，第２シールドケースの底板の内端相互を連結片で連結し、第１，第２シールドケースと連結片を導電金属板の一体打ち抜き曲げ加工にて形成したシールドコネクタにおいて、上記第１シールドケースの底板と対向する天板の内端から上記連結片と対向して補強片を突設し、該補強片を上記第２接続器体に係止して上記第１，第２シールドケースの連結片における上方変形を抑止する構成としたことを特徴とするシールドコネクタ。
【請求項２】
上記補強片の外表面に第２シールドケースに嵌着したシールドカバー内端から下方へ向け屈曲した上部押さえ片を係止し、上記第１，第２シールドケースの連結片における下方変形を抑止する構成としたことを特徴とする請求項１記載のコネクタ。
【請求項３】
上記第１シールドケースの左右側板の内端から補助補強片を夫々突設し、該各補助補強片を上記第２接続器体に係止して上記第１，第２シールドケースの連結片における側方変形を抑止する構成としたことを特徴とする請求項１記載のシールドコネクタ。
【請求項４】
上記補助補強片の外表面に第２シールドケースに嵌着したシールドカバー内端から内側方へ向け屈曲した側部押さえ片を係止し、上記第１，第２シールドケースの連結片における側方変形を抑止する構成としたことを特徴とする請求項３記載のシールドコネクタ。
【発明の詳細な説明】
【技術分野】
【０００１】
本発明はＵＳＢコネクタに代表される、一体打ち抜き曲げ加工にて形成されたシールドケースで接続器体をカバーした構造を有するシールドコネクタ、殊に該シールドケースの折れ曲がり防止構造に関する。
【背景技術】
【０００２】
電子機器相互間を接続するＵＳＢコネクタは、一端に電子機器接続器体を包囲する第１シールドケースを、他端にケーブル接続器体を包囲する第２シールドケースを備え、該第１，第２シールドケースの底板の内端相互を連結片で連結し、第１，第２シールドケースと連結片を導電金属板の一体打ち抜き曲げ加工にて形成した構造を有する。
【０００３】
又上記第１シールドケースは横断面視ロ字形に曲げ加工され、上記第２シールドケースは横断面視コ字形に曲げ加工され、該コ字形に曲げ加工された第２シールドケースの開放面（上面）を覆うように横断面視コ字形に曲げ加工されたシールドカバーを相嵌めした構造を有する。
【０００４】
上記ケーブルはその端末を第２接続器体の端子にハンダ付け等にて接続した後に、第１，第２接続器体を上記開放面を通じ第１，第２シールドケース内へ内挿する。
【発明の開示】
【発明が解決しようとする課題】
【０００５】
然るに上記第１，第２シールドケースは部品単価を安価にする要請から、導電金属板を一体に打ち抜き加工し、更に曲げ加工を施して形成され、所謂打ち抜き板金曲げ加工にて形成され、両シールドケースの天板相互を連結する上記連結片を介しシールドのための電気的導通を図っている。
【０００６】
上記シールドケースの一体打ち抜き曲げ加工においては、先ず全体を平板状態に打ち抜きするために、上記連結片の打ち抜きの箇所は設計上、第１，第２シールドケースの天板相互間に限定される。
【０００７】
第１，第２シールドケースはこの天板相互間のみを連結片を介し連結するため、連結強度、殊に曲げ強度が充分に確保できず、使用者がシールドコネクタを電子機器に抜き差しする際、上記連結片から折れ曲がりを生ずる問題が指摘され、その改善が要請されている。
【課題を解決するための手段】
【０００８】
本発明はＵＳＢコネクタに代表される、一体打ち抜き曲げ加工にて形成されたシールドケースで接続器体をカバーした構造を有するシールドコネクタにおける、上記シールドケースの折れ曲がりの問題を有効に解消することを目的とする。
【０００９】
要述すると、シールドケースは一端に第１接続器体を包囲する第１シールドケースを、他端に第２接続器体を包囲する第２シールドケースを備え、該第１，第２シールドケースの底板の内端相互を連結片で連結し、第１，第２シールドケースと連結片を導電金属板の一体打ち抜き曲げ加工にて形成し、上記第１シールドケースの底板と対向する天板の内端から上記連結片と対向して補強片を突設し、該補強片を上記第２接続器体に係止して上記第１，第２シールドケースの連結片における上方変形を抑止する構成とする。
【００１０】
上記補強片は上記第２シールドケースに係止すると同時に、上記補強片の外表面に第２シールドケースに嵌着したシールドカバー内端から下方へ向け屈曲した上部押さえ片を係止し、上記第１，第２シールドケースの連結片における上記上方変形に加え、下方変形を抑止する構成とすることができる。
【００１１】
更に付加構造として、上記第１シールドケースの左右側板の内端から補助補強片を夫々突設し、該各補助補強片を上記第２接続器体に係止して上記第１，第２シールドケースの連結片における側方変形を抑止する構成とすることができる。
【００１２】
上記各補助補強片を設ける場合にも、上記補助補強片の外表面に第２シールドケースに嵌着したシールドカバー内端から内側へ向け屈曲した側部押さえ片を係止する構成とし、補助補強片の第２接続器体に対する係止とシールドカバーに対する係止とが協働して上記側方変形抑止効果を向上することができる。
【発明の効果】
【００１３】
本発明によれば、第１，第２シールドケースの上記連結片に折れ曲がり力が加わると、上記第２接続器体に係止した補強片、又は第２接続器体と押さえ片に係止した補強片が折れ曲がり抑止力を生じ、上記折れ曲がりの問題を構造簡素にして有効に達成でき、該折れ曲がり抑止構造を従前の一体打ち抜き加工と曲げ加工に大きな変更を加えることなく、又大幅なコストアップを招かずに容易に実行できる。
【発明を実施するための最良の形態】
【００１４】
以下本発明を実施するための最良の形態を図１乃至図８に基づき説明する。
前記のように、本発明はＵＳＢコネクタに代表される、一体打ち抜き曲げ加工にて形成されたシールドケースで接続器体をカバーした構造を有するシールドコネクタ、殊に該コネクタにおける上記シールドケースの折れ曲がりの問題を有効に解消することを目的としている。
【００１５】
改善対象とするシールドコネクタは一端に第１接続器体１、例えば電子機器接続器体を包囲する第１シールドケース２を備えると共に、他端に第２接続器体３、例えばケーブル接続器体を包囲する第２シールドケース４を備え、該第１，第２シールドケース２，４の底板２ｃ，４ｃの内端相互を連結片５で連結し、全体を導電金属板の一体打ち抜き曲げ加工にて形成した構造を有する。
【００１６】
上記第１シールドケース２は横断面視ロ字形に曲げ加工され、上記第２シールドケース４は横断面視コ字形に曲げ加工され、該コ字形に曲げ加工された第２シールドケース４の開放面４ｄ（上面）を覆うように横断面視コ字形に曲げ加工されたシールドカバー６を相嵌めした構造を有する。
【００１７】
即ち横断面視コ字形に打ち抜き曲げ加工されたシールドカバー６の側板６ｂを第２シールドケース４の側板４ｂの外側面に外嵌めし、側板６ｂ，４ｂの一方に打ち出した係止爪７を、他方に穿孔した係止窓８に係入して両者６，４を一体に組み立てる。
【００１８】
他方上記第１，第２接続器体１，３は本体が絶縁材にて一体成形され、第１接続器体１に電子機器の端子と加圧接触する端子９を保有し、第２接続器体３にケーブル１４の端末をハンダ等にて接続する端子１０を保有する。該端子９，１０は第１，第２接続器体１，３の連結部を通し互いに連設されている。
【００１９】
上記第２接続器体３の端子１０にケーブル端末を接続し、その上で第１，第２接続器体１，３を上記開放面４ｄを通じて第１，第２シールドケース２，４内に挿入し、上記の如く第１接続器体１を第１シールドケース２で包囲し、第２接続器体３を第２シールドケース４で包囲する。
【００２０】
上記第２接続器体３を包囲する第２シールドケース４は、その外周面にゴム等の弾性を有する絶縁ケース２１を外嵌めし、第１接続器体１を包囲する第１シールドケース２は絶縁ケース２１の前端から露出状態に突出する。
【００２１】
上記第１シールドケース２内へ挿入した第１接続器体１はその周囲側面をロ字形の第１シールドケース２の画成板にて拘束すると共に、第２シールドケース４内に挿入した第２接続器体３の側面に係止爪１１を一体成形にて突設し、該係止爪１１を第２シールドケース４の側板４ｂに穿孔した係止窓１２内に係入し、接続器体３全体をシールドケース４全体内に一体に組み付ける。
【００２２】
上記第２シールドケース４の外端にはケーブル締結片１３を一体打ち抜き加工し、該ケーブル締結片１３をケーブル１４の外部被覆にカシメ付け、ケーブル１４を保持する。
【００２３】
又上記第１シールドケース２は平板に打ち抜いた状態からロ字形に曲げ加工し、各折曲端縁に打ち抜き加工した蟻１５ａと蟻溝１５ｂを係合して開きを防止する。
【００２４】
この蟻１５ａと蟻溝１５ｂによる係合部を備える板で第１シールドケース２の天板２ａを形成する。他方上記第２シールドケース４にシールドカバー６を嵌着して第２シールドケース４を横断面視ロ字形にし、このシールドカバー６の天板６ａにて第２シールドケース４の天板を形成する。
【００２５】
上記第１シールドケース２の連結片５を設けた底板２ｃと対向する天板２ａの内端から、上記連結片５と対向して補強片１６を突設し、該補強片１６の内表面を上記第２接続器体３に係止して上記第１，第２シールドケース２，４の連結片５における上方変形を抑止する。
【００２６】
好ましい例示として、上記補強片１６を上記第１シールドケース２の天板２ａの内端から逆Ｌ形に立ち上げ、該逆Ｌ形補強片１６の立ち上げ部１６ａの上端の係止爪１６ｂを、上記第２接続器体３の内端上面に設けた係止溝１８内に入れ込んで、第２接続器体３に係止する。この係止によって、連結片５部における第１，第２シールケース２，４の上方変形を抑止する。
【００２７】
具体例として、上記逆Ｌ形補強片１６の内表面を第２接続器体３へ係止する構造と併用して、該逆Ｌ形補強片１６の立ち上げ部１６ａの外表面と係止爪１６ｂの外表面に、上記第２シールドケース４の天板内端、即ちシールドカバー６の天板６ａ内端から下方へ向け屈曲した上部押さえ片１７を重ねると共に、該上部押さえ片１７の下端を上記逆Ｌ形補強片１６の立ち上げ部１６ａの基部外表面に係止する構成とし、連結片５部における第１，第２シールケース２，４の下方変形を抑止する。
【００２８】
よって逆Ｌ形補強片１６の第２接続器体３に対する係止と、シールドカバー６に対する係止とが協働して上記上下方向への折れ曲がり（上下方向への変形）を抑止する効果を向上する。
【００２９】
更に付加構造として、上記第１シールドケース２の左右側板２ｂの内端から補助補強片１９を夫々突設し、該各補助補強片１９を上記第２接続器体３に係止して上記第１，第２シールドケース２，４の連結片５における側方変形を抑止する構成とする。
【００３０】
上記各補助補強片１９を設ける場合にも、上記補助補強片１９の外表面に第２シールドケース４に嵌着したシールドカバー６の側板６ｂ内端から内側へ向け屈曲した側部押さえ片２０を係止する構成とし、補助補強片１９の第２接続器体３に対する係止とシールドカバー６に対する係止とが協働して上記側方変形抑止効果を向上する。
【図面の簡単な説明】
【００３１】
【図１】シールドコネクタの斜視図。
【図２】Ａは上記シールドコネクタの垂直方向縦断面図、Ｂは同正面図。
【図３】上記シールドコネクタの水平方向縦断面図。
【図４】上記シールドコネクタにおけるシールドケースの展開図。
【図５】Ａは上記シールドケースの平面図、Ｂは該シールドケースにシールドカバーを相嵌めした状態を示す平面図。
【図６】Ａは上記シールドケースに接続器体を挿入前の状態を以って示す側面図、Ｂは該シールドケースにシールドカバーを相嵌めした状態を示す平面図、Ｃは同正面図、Ｄは同背面図。
【図７】Ａは上記シールドケースの底面図、Ｂは同平面図。
【図８】Ａはシールドカバーの平面図、Ｂは同側面図、Ｃは同正面図、Ｄは同背面図。
【符号の説明】
【００３２】
１…第１接続器体、２…第１シールドケース、２ａ…第１シールドケースの天板、２ｂ…第１シールドケースの側板、２ｃ…第１シールドケースの底板、３…第２接続器体、４…第２シールドケース、４ｂ…第２シールドケースの側板、４ｃ…第２シールドケースの底板、４ｄ…第２シールドケースの開放面、５…連結片、６…シールドカバー、６ａ…シールドカバーの天板（第２シールドケースの天板）、６ｂ…シールドカバーの側板、７…係止爪、８…係止窓、９…第１接続器体の端子、１０…第２接続器体の端子、１１…係止爪、１２…係止窓、１３…ケーブル締結片、１４…ケーブル、１５ａ…蟻、１５ｂ…蟻溝、１６…補強片、１６ａ…立ち上げ部、１６ｂ…係止爪、１７…上部押さえ片、１８…係止溝、１９…補助補強片、２０…側部押さえ片、２１…絶縁ケース
【図１】
2006185847.tif 000003
【図２】
2006185847.tif 000004
【図３】
2006185847.tif 000005
【図４】
2006185847.tif 000006
【図５】
2006185847.tif 000007
【図６】
2006185847.tif 000008
【図７】
2006185847.tif 000009
【図８】
2006185847.tif 000010